(57)【要約】【課題】コンセントの設置場所がトラッキングの発生しやすい環境であるかどうかを判別することができるトラッキングチェッカを提供する。【解決手段】トラッキングチェッカ１は、ケース２の背面にコンセントの差込口に挿入可能な一対の栓刃３，３を突設し、ケース２の前面に電気機器のプラグの一対の栓刃が挿入可能な差込口４，４を設け、差込口４，４間に透孔５を穿設して、ケース２の内部に透孔５に臨むセンサ６を配設し、ケース２の前面にセンサ６の出力電流値を表示するレベルメータ７を設ける。【選択図】図１
2006048967.tif 000002
【特許請求の範囲】
【請求項１】
コンセントの差込口に挿入可能な一対の栓刃と、電気機器のプラグの一対の栓刃が挿入可能な差込口と、該差込口に挿入接続されたプラグの栓刃間に発生する火花放電が接触すると電流を発生させるセンサと、該センサの出力電流値を表示する表示手段とを備えたことを特徴とするトラッキングチェッカ。
【請求項２】
前記表示手段は前記センサの出力電流の最大値を表示して保持することを特徴とする請求項１に記載のトラッキングチェッカ。
【請求項３】
前記表示手段の表示範囲を変更可能にする変更手段を備えたことを特徴とする請求項１又は請求項２に記載のトラッキングチェッカ。
【請求項４】
前記表示手段はレベルメータであることを特徴とする請求項１乃至請求項３の何れかに記載のトラッキングチェッカ。
【発明の詳細な説明】
【技術分野】
【０００１】
本発明は、既設のコンセントに接続してトラッキングが発生する環境であるかを調べるためのトラッキングチェッカに関する。
【背景技術】
【０００２】
従来、既設のコンセントの設置場所がトラッキングの発生しやすい環境であるかどうかを調べるための測定器はなく、特許文献１に示されるようにトラッキングが発生したことを検出するものしかなかった。この、特許文献１は電源コンセント前面の受刃間に導電板を配置し、一端は表面から突出させ、もう一端はアース端子に接続させることで、トラッキングに至る前に発生する火花放電が発生した際にプラグの両刃間に流れる電流を導電板を介してアース端子に流し、漏電ブレーカに漏電電流として検知させて電路を遮断させている。
【０００３】
【特許文献１】特開２００１−３５５９９号公報
【発明の開示】
【発明が解決しようとする課題】
【０００４】
このように、従来はトラッキング現象が発生するまでコンセントの設置場所がトラッキングの発生しやすい環境であるかどうかわからないという問題があった。
【課題を解決するための手段】
【０００５】
本発明は、請求項１に記載の発明によれば、コンセントの差込口に挿入可能な一対の栓刃と、電気機器のプラグの一対の栓刃が挿入可能な差込口と、差込口に挿入接続されたプラグの栓刃間に発生する火花放電が接触すると電流を発生させるセンサと、センサの出力電流値を表示する表示手段とを備えたことを特徴とする。
【０００６】
請求項２に記載の発明によれば、請求項１に記載のトラッキングチェッカにおいて、表示手段はセンサの出力電流の最大値を表示して保持することを特徴とする。
【０００７】
請求項３に記載の発明によれば、請求項１又は請求項２に記載のトラッキングチェッカにおいて、表示手段の表示範囲を変更可能にする変更手段を備えたことを特徴とする。
【０００８】
請求項４に記載の発明によれば、請求項１乃至請求項３の何れかに記載のトラッキングチェッカにおいて、表示手段はレベルメータであることを特徴とする。
【発明の効果】
【０００９】
請求項１に記載の発明によれば、コンセントの差込口に挿入可能な一対の栓刃と、電気機器のプラグの一対の栓刃が挿入可能な差込口と、差込口に挿入接続されたプラグの栓刃間に発生する火花放電が接触すると電流を発生させるセンサと、センサの出力電流値を表示する表示手段とを備えたことにより、コンセントの設置場所がトラッキングの発生しやすい環境であるかどうかを判別することができるという効果がある。
【００１０】
請求項２に記載の発明によれば、請求項１に記載のトラッキングチェッカにおいて、表示手段はセンサの出力電流の最大値を表示して保持することにより、トラッキングの初期の段階で表示手段が稀にしか表示しない場合でもトラッキングの発生をいつでも見つけることができるという効果がある。
【００１１】
請求項３に記載の発明によれば、請求項１又は請求項２に記載のトラッキングチェッカにおいて、表示手段の表示範囲を変更可能にする変更手段を備えたことにより、センサの出力電流値を詳細に表示することができるという効果がある。
【００１２】
請求項４に記載の発明によれば、請求項１乃至請求項３の何れかに記載のトラッキングチェッカにおいて、表示手段はレベルメータであることにより、表示の視認性が良く、安価に製作することができるという効果がある。
【発明を実施するための最良の形態】
【００１３】
トラッキングチェッカは、ケースの背面にコンセントの差込口に挿入可能な一対の栓刃を突設し、ケースの前面に電気機器のプラグの一対の栓刃が挿入可能な差込口を設け、差込口間に透孔を穿設して、ケースの内部に透孔に臨むセンサを配設し、ケースの前面にセンサの出力電流値を表示する表示手段を設ける。
【実施例１】
【００１４】
本発明に係るトラッキングチェッカの実施例１を図１及び図２の添付図面に基づいて説明する。
【００１５】
トラッキングチェッカ１は、絶縁材料により形成されたケース２の背面にコンセントの差込口（図示せず）に挿入可能な一対の栓刃３，３が突設され、ケース２の前面に電気機器のプラグの一対の栓刃（図示せず）が挿入可能な差込口４，４が２箇所に設けられている。差込口４，４間には埃や水等が入らないように孔径を小さくした透孔５が夫々穿設され、ケース２の内部には透孔５に臨む位置に金属片等の導電部材により形成されたセンサ６が配設され、ケース２の前面にセンサ６の出力電流値を表示する表示手段としてのレベルメータ７が設けられている。
【００１６】
このトラッキングチェッカ１の使用方法を説明する。トラッキングチェッカ１は既設のコンセントの差込口に栓刃３，３を差込接続して設置する。それから、差込口４，４に電気機器のプラグの栓刃を差込接続する。そして、電気機器をある期間使用し、電気機器のプラグの栓刃間にトラッキングに至る前に発生する火花放電が発生すると、火花放電はケース２の透孔５から進入してセンサ６に接触し、センサ６に火花放電が接触することにより微小な電流が発生し、このセンサ６から出力される電流値をレベルメータにより表示するようになっている。これにより、コンセントの設置場所がトラッキングの発生する環境であるかどうかを判断することができる。
【実施例２】
【００１７】
本発明に係るトラッキングチェッカの実施例２を図３の添付図面に基づいて説明する。尚、実施例１と同一部分は同一符号を付して説明を省略する。
【００１８】
本実施例では、表示手段としてのレベルメータ７はセンサ６の出力電流値を表示した際に、その出力電流値の最大値で表示が保持されるようになっている。トラッキングの初期の段階では稀にしか栓刃３，３間に電流が流れないことがあり、そのため、レベルメータ７は連続して表示をしない場合があるが、このトラッキングチェッカ１は表示を保持するのでトラッキングの発生をいつでも見つけることができる。尚、表示のリセットはリセットスイッチ８により行う。
【実施例３】
【００１９】
本発明に係るトラッキングチェッカの実施例３を図４の添付図面に基づいて説明する。尚、実施例１と同一部分は同一符号を付して説明を省略する。
【００２０】
本実施例では、レベルメータ７の表示レベルを変更する変更手段としての調整ボリューム９がケース２の前面に設けられている。これにより、レベルメータ７の表示範囲を、例えば１Ａまでであったのを１００ｍＡまでに変更することことができ、センサ６の出力電流値を詳細に表示することができる。
【００２１】
尚、実施例において表示手段としてレベルメータを使用し、変更手段として調整ボリュームを使用したが、これらに限定するものではない。
【図面の簡単な説明】
【００２２】
【図１】本発明の実施例１に係るトラッキングチェッカを示す正面図である。
【図２】図１の右側面図である。
【図３】本発明の実施例２に係るトラッキングチェッカを示す正面図である。
【図４】本発明の実施例３に係るトラッキングチェッカを示す正面図である。
【符号の説明】
【００２３】
１    トラッキングチェッカ
３    栓刃
４    差込口
５    透孔
６    センサ
７    レベルメータ
【図１】
2006048967.tif 000003
【図２】
2006048967.tif 000004
【図３】
2006048967.tif 000005
【図４】
2006048967.tif 000006